(57)【特許請求の範囲】
【請求項１】
所定の回転方向に回転駆動された像担持体の表面に形成されたトナー像を記録材に転写した後、該像担持体にクリーニングブレードを当接させて該像担持体に残留したトナーを除去する画像形成装置であって、
前記像担持体の画像形成時の回転動作が終了した後、該像担持体の回転が停止したときに前記クリーニングブレードが当接していた該像担持体の表面における回転停止時の被当接箇所が次回画像形成時に用いられない非画像形成領域に移動するまで該像担持体を回転させて停止させるように制御する手段と、
前記画像形成装置の使用環境を検知する検知手段と、
前記検知手段の検知結果に基づいて、使用環境が低温又は低湿である場合は前記像担持体の表面における回転停止時の被当接箇所を前記非画像形成領域に移動させる該像担持体の回転動作を行い、使用環境が使用環境が低温及び低湿のいずれでもない場合は前記像担持体の回転動作を行わないように決定する手段とを、備えたことを特徴とする画像形成装置。
【請求項２】
所定の回転方向に回転駆動された像担持体の表面に形成されたトナー像を記録材に転写した後、該像担持体にクリーニングブレードを当接させて該像担持体に残留したトナーを除去する画像形成装置であって、
前記像担持体の表面に対向するように配置され前記像担持体上のトナー像を記録材に転写する回転可能な転写部材と、
前記像担持体の画像形成時の回転動作が終了したときに前記クリーニングブレードに当接していた前記像担持体の表面における被当接箇所が、前記転写部材と対向する転写部を通過した後、該転写部材が１回転以上回転してから、該像担持体上のトナー像を前記記録材に転写するように制御し、前記像担持体の画像形成時の回転動作が終了した後、該像担持体の回転が停止したときに前記クリーニングブレードが当接していた該像担持体の表面における回転停止時の被当接箇所が次回画像形成時に用いられない非画像形成領域に移動するまで該像担持体を回転させて停止させるように制御する手段と、を備えたことを特徴とする画像形成装置。
【請求項３】
請求項１又は２の画像形成装置において、
前記像担持体の画像形成時の回転動作が終了した後、該像担持体を該画像形成時とは逆回転方向に回転させ、その後、該像担持体の逆回転が停止したときに前記クリーニングブレードが当接していた該像担持体の表面における回転停止時の被当接箇所が次回画像形成時に用いられない非画像形成領域に移動するまで該像担持体を該画像形成時と同じ正回転方向に回転させて停止させるように制御することを特徴とする画像形成装置。
【請求項４】
請求項１、２又は３の画像形成装置において、
前記像担持体の表面における回転停止時の被当接箇所を前記非画像形成領域に移動させる前記像担持体の回転動作を、画像形成ジョブの終了動作時に行うことを特徴とする画像形成装置。
【請求項５】
請求項１、２、３又は４の画像形成装置において、
前記像担持体の表面における回転停止時の被当接箇所を前記非画像形成領域に移動させる前記像担持体の回転動作を開始した後、該像担持体の表面における回転停止時の被当接箇所が該非画像形成領域に最初に到達したときに、該像担持体の回転動作を停止することを特徴とする画像形成装置。
【請求項６】
請求項１、２、３、４又は５の画像形成装置において、
前記画像形成装置の画像形成モードに基づいて、前記像担持体の表面における回転停止時の被当接箇所を前記非画像形成領域に移動させる前記像担持体の回転動作を行うか否かを決定する手段を備えたことを特徴とする画像形成装置。
【請求項７】
請求項６の画像形成装置において、
画像形成対象の画像の画像面積率を算出し、その算出結果に基づいて前記画像形成モードが設定されていることを特徴とする画像形成装置。
【請求項８】
請求項１、２、３、４、５、６又は７の画像形成装置において、
連続して画像形成が行われる記録材の枚数に基づいて、前記像担持体の表面における回転停止時の被当接箇所を前記非画像形成領域に移動させる前記像担持体の回転動作を行うか否かを決定する手段を備えたことを特徴とする画像形成装置。
【請求項９】
請求項８の画像形成装置において、
前回の画像形成ジョブにおいて連続して画像形成が行われた記録材の枚数を参照し、その枚数の参照結果に基づいて、前記像担持体の表面における回転停止時の被当接箇所を前記非画像形成領域に移動させる前記像担持体の回転動作を行うか否かを決定することを特徴とする画像形成装置。
【発明の詳細な説明】
【技術分野】
【０００１】
本発明は、像担持体に形成したトナー像を記録材に転写する画像形成装置に関するものである。
【背景技術】
【０００２】
従来、この種の画像形成装置として、感光体ドラム上に形成したトナー像を用紙等の記録材に転写する構成や、複数の感光体ドラム上に形成したトナー像を中間転写ベルトに一次転写した後に中間転写ベルト上のトナー像を記録材に二次転写する構成の画像形成装置が知られている。このような構成の画像形成装置において、転写後の感光体ドラムや中間転写ベルト（以下、これらを「像担持体」ともいう。）の表面に残留した残留トナーを除去するクリーニング方式として、像担持体の表面に対しカウンタ方向にウレタンゴム等からなる弾性状のクリーニングブレードを当接させるブレードクリーニング方式が知られている。
【０００３】
特許文献１には、クリーニングブレードのエッジに付着した紙粉やトナー塊等の付着物を除去する目的で、像担持体の画像形成時の正回転動作が終了した後、その像担持体を少なくとも２回以上、前記正回転方向とは逆方向に回転させ、その逆回転の動作の後、像担持体の回転を停止させて待機状態に入る画像形成装置が開示されている。
【発明の概要】
【発明が解決しようとする課題】
【０００４】
しかしながら、上記特許文献１に記載されているような像担持体の逆回転動作を行うと、記録紙上に横黒スジが発生する場合がある。この横黒スジは、クリーニングブレードの先端エッジの当接するラインに沿った方向に延在したトナーと同じ色のスジであり、黒色の場合が多いため「横黒スジ」と呼ばれる。この横黒スジの発生原因としては次のようなものが考えられる。すなわち、画像形成を行っているときの像担持体の正回転時にクリーニングブレードをすり抜けたトナーがクリーニングブレードの腹に付着して溜まり、その腹に付着して溜まったトナーが像担持体の表面にのってしまうことが考えられる。
特に、上記記録材上の横黒スジは、クリーニングブレードを像担持体の上方に配置した場合に発生しやすい。例えば、クリーニングブレードを有するクリーニングユニットを、中間転写ベルト（像担持体）を有する中間転写ユニットの側方に設けると、画像形成装置の幅が大きくなってしまうなどの影響がある。そこで、上記クリーニングユニットを中間転写ユニットの上方に取り付けることにより、画像形成装置内のスペースを有効活用し、画像形成装置の幅を小さくすることができる。しかしながら、中間転写ユニットの上にクリーニングユニットを取り付けると、クリーニングブレードの腹に付着したトナーが中間転写ベルト上にのって横黒スジが発生しやすくなる。この中間転写ベルト上に発生した横黒スジが記録材に転写されてしまう。
また、上記横黒スジは、上記像担持体の逆回転を行わない場合も発生する可能性がある。すなわち、像担持体の画像形成時の正回転動作が終了し像担持体の回転を停止したとき、クリーニングブレードの腹に付着して溜まったトナーが像担持体の表面にのってしまうことにより上記横黒スジが発生する可能性がある。
【０００５】
本発明は以上の問題点に鑑みなされたものであり、その目的は、クリーニングブレードの当接に起因する記録材上の横黒スジの発生を防止することができる画像形成装置を提供することである。
【課題を解決するための手段】
【０００６】
上記目的を達成するために、本発明は、所定の回転方向に回転駆動された像担持体の表面に形成されたトナー像を記録材に転写した後、該像担持体にクリーニングブレードを当接させて該像担持体に残留したトナーを除去する画像形成装置であって、前記像担持体の画像形成時の回転動作が終了した後、該像担持体の回転が停止したときに前記クリーニングブレードが当接していた該像担持体の表面における被当接箇所が次回画像形成時に用いられない非画像形成領域に移動するまで該像担持体を回転させて停止させるように制御する手段を備えたことを特徴とするものである。
【発明の効果】
【０００７】
本発明によれば、像担持体の画像形成時の回転動作が終了した後、像担持体の回転が停止したときにクリーニングブレードが当接していた像担持体の表面における被当接箇所が次回画像形成時に用いられない非画像形成領域に移動するまで像担持体を回転させて停止させる。この像担持体の回転により、クリーニングブレードに付着しているトナーが上記像担持体の表面における被当接箇所に移って付着したとしても、その像担持体に移って付着したトナーを、次回画像形成時に用いられない非画像形成領域に移動させることができる。従って、上記像担持体に移って付着したトナーが記録材に転写されることがなくなり、そのトナーによる記録材上の横黒スジの発生を防止することができる。以上のように、本発明によれば、クリーニングブレードの当接に起因する記録材上の横黒スジの発生を防止することができる、という効果を奏する。
【図面の簡単な説明】
【０００８】
【図１】本発明の一実施形態に係るカラー画像形成装置の概略構成図。
【図２】同カラー画像形成装置における中間転写ベルトの回転駆動制御を行う制御系の主要部の一構成例を示すブロック図。
【図３】同カラー画像形成装置における画像形成ジョブの終了時に回転駆動する中間転写ベルトの表面移動の説明図。
【図４】中間転写ベルトの非画像形成領域に対向するときの２次転写ローラの挙動を示す説明図。
【図５】中間転写ベルトの非画像形成領域に２次転写ローラが対向するときに印加される２次転写バイアスの一例を示すタイムチャート。
【図６】画像形成ジョブの終了時に実行する中間転写ベルトの逆回転後の正回転動作を行うか否かの判断を伴う制御の一例を示すフローチャート。
【図７】本実施形態に係るカラー画像形成装置における他の制御例における１次転写ローラの接離状態を示す説明図。（ａ）は中間転写ベルト上の横黒スジが１次転写部を通過していない横黒スジ非通過時の説明図。（ｂ）は中間転写ベルト上の横黒スジが１次転写部を通過している横黒スジ通過時の説明図。
【図８】本実施形態に係るカラー画像形成装置における更に他の制御例における１次転写ローラへのバイアス印加状態を示す説明図。
【図９】本実施形態に係るカラー画像形成装置における更に他の制御例における２次転写ローラの接離状態を示す説明図。（ａ）は中間転写ベルト上の横黒スジが２次転写部を通過する前の説明図。（ｂ）は中間転写ベルト上の横黒スジが２次転写部を通過しているときの説明図。（ｃ）は中間転写ベルト上の横黒スジが２次転写部を通過した後の説明図。
【図１０】本実施形態に係るカラー画像形成装置における更に他の制御例における２次転写ローラの回転状態及び横黒スジの移動状態を示す説明図。（ａ）は中間転写ベルト上の横黒スジが２次転写部に到達した状態の説明図。（ｂ）は中間転写ベルトから横黒スジが移動した２次転写ローラが回転している状態の説明図。（ｃ）は２次転写ローラから中間転写ベルトの表面に横黒スジが戻った状態の説明図。
【発明を実施するための形態】
【０００９】
以下、図面を参照して、本発明の実施形態について説明する。
図１は、本発明の一実施形態に係るカラー画像形成装置の概略構成図である。図１において、本実施形態に係るカラー画像形成装置は、像担持体としてのベルト状の中間転写体である中間転写ベルト１０を有する中間転写ベルトユニット１００と、４つの画像ステーションとを備えている。中間転写ベルト１０は、複数の支持ローラ（駆動ローラ１０１及び従動ローラ１０２）に張架されるように支持され、その中間転写ベルト１０の上部張架部に沿って各画像ステーションが並設されている。中間転写ベルト１０の駆動する駆動ローラ１０１は、図示しない駆動装置のギヤ等の駆動伝達系を介して正逆回転可能な駆動モータに接続されている。図中の中間転写ベルト１０、駆動ローラ１０１及び従動ローラの回転方向のうち、実線で示す回転方向Ｒ１は通常の画像形成動作時の回転方向（以下、必要に応じて「正回転方向」という。）であり、破線で示す回転方向Ｒ２は、正回転方向とは逆の回転方向（以下、必要に応じて「逆回転方向」という。）である。
【００１０】
各画像ステーションは、潜像担持体としての感光体ドラム７Ｂｋ、７Ｃ、７Ｍ、７Ｙをそれぞれ有し、その感光体ドラムの回りには、図示していない専用の帯電装置、現像装置及びクリーニング装置を有している。また、装置内の上部には、４つの画像ステーションそれぞれに補給されるトナーを収容するトナーボトル９Ｂｋ，９Ｃ，９Ｍ，９Ｙが配設されている。各トナーボトル９Ｂｋ，９Ｃ，９Ｍ，９Ｙには、図中左から黒（Ｂｋ）、シアン（Ｃ）、マゼンタ（Ｍ）、イエロー（Ｙ）のトナーが充填されている。各トナーボトル９Ｂｋ，９Ｃ，９Ｍ，９Ｙから図示しない搬送経路を介して所定の補給量だけ各色の画像ステーションの現像装置に補給される。
【００１１】
上記構成のカラー画像形成装置における画像形成動作は、次のように行われる。図１中の一点鎖線で示すように、記録材としての転写紙２が給紙カセット１より給紙ローラ３で給送され、転写紙２の先端がレジストローラ対４まで到達すると図示しないセンサによって検知される。この検知信号でタイミングを取りながら、レジストローラ対４によって転写紙２を２次転写部材としての２次転写ローラ５と中間転写ベルト１０とが対向している２次転写部（ニップ部）に搬送する。一方、あらかじめ各画像ステーションの帯電装置によって一様に帯電された感光体ドラム７Ｂｋ、７Ｃ、７Ｍ、７Ｙは、図示していない光書込み装置によりレーザ光にて露光走査され、感光体ドラム７Ｂｋ、７Ｃ、７Ｍ、７Ｙ上に静電潜像が作られる。各静電潜像は、それぞれ各色の現像装置により現像され、感光体ドラム７Ｂｋ、７Ｃ、７Ｍ、７Ｙ表面にイエロー、シアン、マゼンタ、黒のトナー像が形成される。次に、図示しない１次転写部材バイアス印加手段（電圧印加手段）としてのバイアス電源により１次転写部材としての１次転写ローラ８Ｂｋ、８Ｃ、８Ｍ、８Ｙに所定の１次転写バイアス電圧が印加され、感光体ドラム７Ｂｋ、７Ｃ、７Ｍ、７Ｙ上のトナー像が中間転写ベルト１０上に順次転写されていく。各画像ステーションにおける各色の作像動作は、そのトナー像が中間転写ベルト１０の同じ位置に重ねて転写されるように、中間転写ベルト移動方向の上流側から下流側に向けてタイミングをずらして実行される。中間転写ベルト１０上に形成されたトナー像は、２次転写部材としての２次転写ローラ５の対向位置まで搬送され、転写紙２に２次転写される。各色のトナー像が転写された転写紙２は、定着装置６に搬送されて熱定着され、図示していない排紙ローラで排紙される。なお、感光体ドラム７Ｂｋ、７Ｃ、７Ｍ、７Ｙ上の残留トナーは、それぞれのクリーニング装置でクリーニングされ、その後、直流に交流成分のバイアスが重畳印加された帯電装置によって除電と同時に帯電され、次の作像（画像形成動作）工程に備える。また、中間転写ベルト１０上の残留トナーは、中間転写ベルトクリーニング装置１１のクリーニングブレード１１１等によってクリーニングされ、次の作像工程に備える。
【００１２】
本実施形態のカラー画像形成装置における中間転写ベルトクリーニング装置１１は、そのケーシング１１０が下方に開口を有し、そのケーシング１１０の開口からクリーニングブレード１１１の先端が露出するように構成されている。つまり、中間転写ベルトクリーニング装置１１は、複数の画像ステーションの右側方であって中間転写ベルトユニット１００上方に位置するスペースに配設されている。これにより、カラー画像形成装置の幅方向（図１中の左右方向）のサイズを小さくすることができる。このように中間転写ベルトクリーニング装置１１を配設した場合、クリーニングブレード１１１は、中間転写ベルト１０の表面に上方から当接することになる。
【００１３】
なお、本実施形態では、無端状の中間転写ベルト１０の内側のスペースにおいて、中間転写ベルト１０を介してクリーニングブレード１１１の当接エッジと対向する位置に、対向ローラ１０３が設けられている。また、図１に示すように、中間転写ベルトクリーニング装置１１には、中間転写ベルト１０の表面を更にクリーニングするブラシ状のクリーニングローラを設けてもよい。
【００１４】
また、本実施形態において、２次転写ローラ５は、中間転写ベルト１０を介して駆動ローラ１０２に対向するように配置され、中間転写ベルト１０の表面に当接するように配置された回転可能な転写部材である。２次転写ローラ５には、図示しない２次転写部材バイアス印加手段（電圧印加手段）としてのバイアス電源から所定のバイアス（電圧）を印加することができる。また、２次転写ローラ５は、図示しない駆動手段としての接離機構により、駆動ローラ１０２に対向した状態で中間転写ベルト１０の表面に当接する当接位置と、中間転写ベルト１０の表面から離間した離間位置とを取り得るように構成されている。この２次転写ローラ５を当接位置と離間位置との間で移動させる接離動作は、例えば図示しない偏心カムやその駆動モータ等を用いて構成された駆動手段としての接離機構により行うことができる。
【００１５】
図２は、本実施形態に係るカラー画像形成装置における中間転写ベルトの回転駆動制御を行う制御系の主要部の一構成例を示すブロック図である。制御手段としての制御装置９００は例えばＣＰＵ９０１、ＲＡＭ９０２、ＲＯＭ９０３、Ｉ／Ｏインターフェース９０４などで構成されている。また、制御装置９００は、Ｉ／Ｏインターフェース９０４を介して、中間転写ベルトユニット１００の駆動モータ等からなる駆動装置１２０、温度や湿度等の使用環境を検知する検知手段としての検知装置９１０、画像形成対象の画像データを処理する画像データ処理装置９２０、１次転写ローラ８Ｂｋ、８Ｃ、８Ｍ、８Ｙに所定のバイアス（電圧）を印加するバイアス電源９５０、２次転写ローラ５に所定のバイアス（電圧）を印加するバイアス電源９３０、感光体ドラム７Ｂｋ、７Ｃ、７Ｍ、７Ｙに対して１次転写ローラ８Ｂｋ、８Ｃ、８Ｍ、８Ｙを接離させる１次転写部材駆動手段としての接離機構９６０、及び中間転写ベルト１０に対して２次転写ローラ５を接離させる２次転写部材駆動手段としての接離機構９４０等が接続されている。
【００１６】
上記接離機構９４０，９６０は特定の構成のものに限定されるものではない。
例えば、２次転写ローラの接離機構９４０は、２次転写ローラ５の回転軸の両端部を回転自在に支持し本体側の揺動軸を中心に揺動可能な揺動支持アームと、２次転写ローラ５が中間転写ベルト１０に当接するように（２次転写ローラ５を当接位置に移動させるように）揺動支持アームを付勢するバネ等などからなる付勢手段と、２次転写ローラ５が中間転写ベルト１０から離間するように（２次転写ローラ５を離間位置に移動させるように）揺動支持アームを揺動させるカムや回転駆動部等からなる駆動手段と、を用いて構成することができる。
【００１７】
また、１次転写ローラの接離機構９６０は、１次転写ローラ８Ｂｋ、８Ｃ、８Ｍ、８Ｙそれぞれの回転軸の両端部を回転自在に支持し感光体ドラムに対して進退移動可能な可動支持側板と、各１次転写ローラ８Ｂｋ、８Ｃ、８Ｍ、８Ｙが中間転写ベルト１０を介して感光体ドラム７Ｂｋ、７Ｃ、７Ｍ、７Ｙに当接するように（１次転写ローラを当接位置に移動させるように）可動支持側板を付勢するバネ等などからなる付勢手段と、各１次転写ローラ８Ｂｋ、８Ｃ、８Ｍ、８Ｙが感光体ドラム７Ｂｋ、７Ｃ、７Ｍ、７Ｙから離間するように（１次転写ローラを離間位置に移動させるように）可動支持側板を移動させるカムや回転駆動部等からなる駆動手段と、を用いて構成することができる。ここで、１次転写ローラの接離機構９６０は、４つの１次転写ローラ８Ｂｋ、８Ｃ、８Ｍ、８Ｙのうち黒色を除くカラートナー像形成用の１次転写ローラ８Ｃ、８Ｍ、８Ｙのみを感光体ドラム７Ｃ、７Ｍ、７Ｙに対して接離するように構成してもよい。また、１次転写ローラの接離機構９６０は、感光体ドラムに対して１次転写ローラの接離とともに中間転写ベルト１０を接離させるように構成してもよい。この場合、中間転写ベルト１０を感光体ドラムから離間させる手段は、例えば、中間転写ベルト１０の外周面に当接可能に配設された支持ローラ又はコロ等のベルト当接部材を、上記１次転写ローラの可動支持側板に取り付け、可動支持側板の移動に伴って中間転写ベルト１０が感光体ドラムに対して当接位置と離間位置とに移動するように構成してもよい。
【００１８】
制御装置９００は、予め組み込まれた所定の制御プログラムを実行することにより、中間転写ベルト１０の回転駆動、１次転写ローラ８Ｂｋ、８Ｃ、８Ｍ、８Ｙへ印加するバイアスの電圧又は電流、２次転写ローラ５へ印加するバイアスの電圧又は電流、及び中間転写ベルト１０に対する１次転写ローラ８Ｂｋ、８Ｃ、８Ｍ、８Ｙや２次転写ローラ５の接離などを制御することができる。１次転写ローラ８Ｂｋ、８Ｃ、８Ｍ、８Ｙや２次転写ローラ５に印加するバイアスの制御は定電流制御でもよいし、定電圧制御であってもよい。また、これらの制御は、検知装置９１０の検知結果（例えば、温度や湿度の検知結果）や、画像データ処理装置９２０での演算結果（例えば、画像形成対象の画像の画像面積率の算出結果）に基づいて行うこともできる。      
【００１９】
特に、制御装置９００は、中間転写ベルト１０の画像形成時の回転動作が終了した後、中間転写ベルト１０を画像形成時とは逆回転方向に回転させ、その後、中間転写ベルト１０を画像形成時と同じ正回転方向に回転させることにより、中間転写ベルト１０の逆回転の停止時にクリーニングブレード１１１が当接していた中間転写ベルト１０の表面における被当接箇所（被当接位置）が、次回画像形成時に用いられない非画像形成領域に移動するまで、中間転写ベルト１０を回転させて停止させるように制御する手段としても機能する。
【００２０】
図３は、画像形成ジョブの終了時に回転駆動制御する中間転写ベルトの表面移動の説明図であり、図１のｙ軸プラス側の斜め方向（上方斜め方向）から見た図である。なお、図３中の矢印Ｒ１の方向は、通常の画像形成動作時の回転方向（正回転方向）であり、矢印Ｒ２の方向は、その正回転方向とは逆の回転方向（逆回転方向）である。本実施形態に係るカラー画像形成装置では、中間転写ベルト１０の画像形成時の回転動作（図１中のＲ１で示す正回転方向の回転動作）が終了した後、中間転写ベルト１０を画像形成時とは逆回転方向（図１中のＲ２で示す逆回転方向）に回転させる。その後、中間転写ベルト１０の表面の残留トナーをクリーニングするためのクリーニングブレード１１１の先端エッジが前記逆回転の停止時に当接していた中間転写ベルト１０の表面における被当接箇所（被当接位置）Ａが、次回の画像形成ジョブ（ＪＯＢ）でトナー画像が形成されない画像形成領域外（以下、「非画像形成領域」という。）の位置Ｂ（次回の画像形成ジョブ（ＪＯＢ）でトナー画像が形成される画像形成領域Ｃの外側の位置Ｂ）までくるように、中間転写ベルト１０を通常の画像形成時の回転方向と同じ正回転方向（図１中のＲ１で示す正回転方向）に回転させる。この正回転方向の回転動作を行うことにより、クリーニングブレード１１１が当接していた中間転写ベル１０の表面における被当接箇所に発生した横黒スジが、転写紙２に転写されないようになる。従って、中間転写ベルト１０の表面をクリーニングするクリーニングブレード１１１のエッジに付着した付着物を除去できるとともに、そのクリーニングブレード１１１の当接に起因する転写紙２上の横黒スジの発生を防止することができる。しかも、クリーニングブレード１１１を有する中間転写ベルトクリーニング装置１１は、横黒スジの発生を防止するために中間転写ベルト１０の長手方向である張架方向の側方に配置する必要がなく、画像形成装置の横幅方向（中間転写ベルト１０の長手方向である張架方向）のサイズの小型化を図る上で有利な中間転写ベルト１０の上方に設けておくことができる。
【００２１】
図４は、中間転写ベルトの非画像形成領域に対向するときの２次転写ローラの挙動を示す説明図である。前述のように中間転写ベルト１０上の画像領域外すなわち非画像形成領域に横黒スジを移動させることで、その横黒スジは転写紙２上の画像には現れなくなる。しかしながら、中間転写ベルト１０上の非画像形成領域にある横黒スジが２次転写ローラ５との対向位置に移動すると、転写紙２の裏汚れにつながる可能性がある。そこで、図４に示すように、２次転写ローラ５が中間転写ベルト１０の非画像形成領域に対向するときには２次転写ローラ５を中間転写ベルト１０から離間させるように２次転写ローラ５を接離駆動する。これにより、中間転写ベルト１０の非画像形成領域に横黒スジが存在している場合でも、その横黒スジが２次転写ローラ５に移動することを抑制し、転写紙２の裏汚れを防止することができる。
【００２２】
図５は、中間転写ベルトの非画像形成領域に２次転写ローラが対向するときに印加される２次転写バイアスの一例を示すタイムチャートである。前述のように、中間転写ベルト１０の非画像形成領域に２次転写ローラ５が対向すると２次転写ローラ５に横黒スジが移動して転写紙２の裏汚れを引き起こす可能性がある。その防止策として、上記図４の方法とは別に、又は、上記図４の方法と併せて、２次転写ローラに印加する２次転写バイアスを制御する方法がある。例えば、図５に示すように、中間転写ベルト１０の画像形成領域に対応させて搬送されてきた転写紙２に２次転写ローラ５が対向している期間は、中間転写ベルト１０の画像形成領域に形成されているトナー像の帯電極性とは逆極性（図示の例では負極性）の２次転写バイアスが２次転写ローラ５に印加される。一方、中間転写ベルト１０の画像形成領域以外である非画像形成領域に２次転写ローラ５が対向している期間は、上記中間転写ベルト１０上のトナーの帯電極性とは同じ極性（図示の例では正極性）の逆バイアスが２次転写ローラ５に印加される。これにより、中間転写ベルト１０の非画像形成領域に横黒スジが存在している場合でも、その横黒スジが２次転写ローラ５に移動することを抑制し、転写紙２の裏汚れを防止することができる。
【００２３】
図６は、画像形成ジョブの終了時に実行する中間転写ベルトの逆回転動作後の正回転動作の制御の一例を示すフローチャートである。図６において、まず、上記構成のカラー画像形成装置に搭載されている検知装置９１０に備える温湿度センサの検知結果に基づいて温度及び湿度の環境を判断し（Ｓ１０１）、低温低湿環境でない場合（Ｓ１０１でｎｏ）は、そのまま終了させる。低温低湿環境である場合（Ｓ１０１でｙｅｓ）、前回の画像形成ジョブ（ＪＯＢ）で形成した画像の画像データに基づいて、その画像が高画像面積であったかどうかを判断する（Ｓ１０２）。高画像面積であった場合（Ｓ１０２でｙｅｓ）は、次に、前回の画像形成ジョブ（ＪＯＢ）が第１の基準枚数である２０枚以上の連続通紙だったかどうか判断する（Ｓ１０３）。ここで、２０枚以上の連続通紙であった場合（Ｓ１０３でｙｅｓ）は中間転写ベルト１０の正回転動作を行う（Ｓ１０４）。一方、２０枚以上連続通紙でなかった場合（Ｓ１０３でｎｏ）は中間転写ベルト１０の正回転動作を行わずに終了させる。
また、前回の画像形成ジョブ（ＪＯＢ）で形成した画像が高画像面積でなかった場合（Ｓ１０２でｎｏ）は、その画像形成ジョブ（ＪＯＢ）が第２の基準枚数（前記第１の基準枚数よりも多い枚数）である１００枚以上の連続通紙だったかどうか判断する（Ｓ１０５）。ここで、１００枚以上の連続通紙であった場合（Ｓ１０５でｙｅｓ）は中間転写ベルト１０の正回転動作を行い、１００枚以上の連続通紙でなかった場合（Ｓ１０５でｎｏ）は中間転写ベルト１０の正回転動作を行わずに終了させる。
以上のように、図６の制御例では、ユーザーの使用環境について場合分けを行い、条件に当てはまったときのみ上記正回転動作を実行する。
【００２４】
なお、上記図６の制御例におけるＳ１０１のステップでは、温度及び湿度の両方の検知結果に基づいて判断しているが、温度及び湿度のいずれかの検知結果に基づいて判断してもよい。
また、上記図６の制御例では、（Ａ）低温低湿度環境であるという条件、（Ｂ）前回の画像形成ジョブ（ＪＯＢ）で形成した画像が高画像面積であるという条件、及び、（Ｃ）前回の画像形成ジョブ（ＪＯＢ）が第１の基準枚数（例えば２０枚）以上の連続通紙であるという条件の３つの条件をすべて満たす場合に、上記正回転動作を実行している。上記実施形態では、これらの３つの条件（Ａ）、（Ｂ）及び（Ｃ）の少なくとも一つの条件を満たす場合に、上記正回転動作を実行するように制御してもよい。
また、上記実施形態１において、（Ｄ）前回の画像形成ジョブ（ＪＯＢ）が第２の基準枚数（例えば１００枚）以上の連続通紙であるという条件を満たす場合には上記横黒スジが発生する可能性がより高いので、３つの条件（Ａ）、（Ｂ）及び（Ｃ）にかかわらず上記正回転動作を実行するように制御してもよい。
【００２５】
次に、本実施形態に係るカラー画像形成装置において転写紙上の横黒スジを防止することができる他の制御例について説明する。
【００２６】
図７は、本実施形態に係るカラー画像形成装置における転写紙上の横黒スジを防止可能な他の制御例における１次転写ローラの接離状態を示す説明図である。図７（ａ）は中間転写ベルト１０の逆回転方向の回転の終了時にクリーニングブレードが当接していた中間転写ベルト１０の表面の被当接箇所に生じた横黒スジが１次転写部を通過していない横黒スジ非通過時の説明図である。図７（ｂ）は中間転写ベルト１０の表面の被当接箇所に生じた横黒スジが１次転写部を通過している横黒スジ通過時の説明図である。
本制御例では、中間転写ベルト１０の逆回転方向に回転させた後に正回転方向（図中矢印Ｒ１方向）に回転させる際、図７（ａ）に示すように、中間転写ベルト１０の被当接箇所に生じた横黒スジが１次転写部を通過していない横黒スジ非通過時には、カラートナー像形成用の１次転写ローラ８Ｃ、８Ｍ、８Ｙを感光体ドラム７Ｃ、７Ｍ、７Ｙから離間させるように制御する。このように１次転写ローラ８Ｃ、８Ｍ、８Ｙを感光体ドラム７Ｃ、７Ｍ、７Ｙから離間させることにより、１次転写ローラが感光体ドラムに接触した状態で回転することによる１次転写ローラ及び感光体ドラムの劣化、摩耗、損傷などを抑制することができる。
一方、図７（ｂ）に示すように、中間転写ベルト１０の被当接箇所に生じた横黒スジが１次転写部を通過している横黒スジ通過時には、１次転写ローラ８Ｂｋ、８Ｃ、８Ｍ、８Ｙを、中間転写ベルト１０を介して黒及びカラーの感光体ドラム７Ｂｋ、７Ｃ、７Ｍ、７Ｙに当接させるように制御する。このように中間転写ベルト１０を介して各１次転写ローラ８Ｂｋ、８Ｃ、８Ｍ、８Ｙを感光体ドラム７Ｂｋ、７Ｃ、７Ｍ、７Ｙに当接させることにより、中間転写ベルト１０上の横黒スジを構成するトナーのすべて又はその一部を感光体ドラム側に回収し、中間転写ベルト１０上の横黒スジを消去したり、その横黒スジを薄くしたりすることができる。
【００２７】
なお、図７（ａ）の例では、横黒スジ非通過時に、カラートナー像形成用の１次転写ローラ８Ｃ、８Ｍ、８Ｙのみを感光体ドラム７Ｃ、７Ｍ、７Ｙから離間させるように制御しているが、すべての１次転写ローラ８Ｂｋ、８Ｃ、８Ｍ、８Ｙをそれぞれ対応する感光体ドラム７Ｂｋ、７Ｃ、７Ｍ、７Ｙから離間させるように制御してもよい。
【００２８】
図８は、本実施形態に係るカラー画像形成装置における転写紙上の横黒スジを防止可能な更に他の制御例における１次転写ローラ及び２次転写ローラへのバイアス印加状態を示す説明図である。なお、図８中の１次転写部及び２次転写部それぞれに記載している矢印は、１次転写ローラ及び２次転写ローラに印加されているバイアスによってトナーが静電的に移動する向きを示している。
本制御例では、図８に示すように、中間転写ベルト１０の逆回転方向に回転させた後に正回転方向（図中矢印Ｒ１方向）に回転させ、中間転写ベルト１０の被当接箇所に生じた横黒スジが１次転写部を通過している横黒スジ通過時には、１次転写ローラ８Ｂｋ、８Ｃ、８Ｍ、８Ｙを、中間転写ベルト１０を介して黒及びカラーの感光体ドラム７Ｂｋ、７Ｃ、７Ｍ、７Ｙに当接させるように制御する。更に、横黒スジ通過時には、１次転写ローラ８Ｂｋ、８Ｃ、８Ｍ、８Ｙに１次転写バイアスを印加するように制御することにより、中間転写ベルト１０上の横黒スジを形成するトナーを帯電させる。この帯電は、横黒スジを形成する廃トナーに均一の電荷を持たせるために行う。
次に、中間転写ベルト１０上の横黒スジが、２次転写ローラ５が対向している２次転写部を通過する横スジ通過時には、中間転写ベルト１０上の横黒スジのトナーが２次転写ローラ５側に移動しない向きの電界を形成するように所定極性のバイアスを印加する。
以上のように、中間転写ベルト１０上の横黒スジのトナーを１次転写部で帯電させるとともに、２次転写部では、その帯電した横黒スジのトナーが静電的に２次転写ローラ５側に移動しないようにすることにより、２次転写ローラ５に横黒スジが移動することによる転写紙２の裏汚れの発生を抑えることができる。
【００２９】
図９は、本実施形態に係るカラー画像形成装置における転写紙上の横黒スジを防止可能な更に他の制御例における２次転写ローラの接離状態を示す説明図である。図９（ａ）は中間転写ベルト１０の逆回転方向の回転の終了時にクリーニングブレードが当接していた中間転写ベルト１０の表面の被当接箇所に生じた横黒スジが２次転写部を通過する前の説明図である。図９（ｂ）は中間転写ベルト１０の表面の被当接箇所に生じた横黒スジが２次転写部を通過しているときの説明図である。図９（ｃ）は中間転写ベルト１０の表面の被当接箇所に生じた横黒スジが２次転写部を通過した後の説明図である。
本制御例では、中間転写ベルト１０の逆回転方向に回転させた後に正回転方向（図中矢印Ｒ１方向）に回転させる際、図９（ａ）に示すように、中間転写ベルト１０の被当接箇所に生じた横黒スジが２次転写部を通過していない横黒スジ非通過時には、中間転写ベルト１０に対して２次転写ローラ５を当接させるように制御する。
また、図９（ｂ）に示すように、中間転写ベルト１０の被当接箇所に生じた横黒スジ２０が２次転写部を通過している横黒スジ通過時には、２次転写ローラ５を中間転写ベルト１０から離間させるように制御する。この離間制御により、中間転写ベルト１０から２次転写ローラ５に横黒スジ２０が移動することによる転写紙２の裏汚れの発生を抑えることができる。
その後、図９（ｃ）に示すように、中間転写ベルト１０の被当接箇所に生じた横黒スジ２０が２次転写部を通過した横黒スジ通過後には、２次転写部で中間転写ベルト１０上のトナー像を転写材２に転写できるよう中間転写ベルト１０に対して２次転写ローラ５を当接させるように制御する。
【００３０】
図１０は、本実施形態に係るカラー画像形成装置における転写紙上の横黒スジを防止可能な更に他の制御例における２次転写ローラの回転状態及び横黒スジの移動状態を示す説明図である。図１０（ａ）は中間転写ベルト１０の逆回転方向の回転の終了時にクリーニングブレードが当接していた中間転写ベルト１０の表面の被当接箇所に生じた横黒スジが２次転写部に到達した状態の説明図である。図１０（ｂ）は中間転写ベルト１０から横黒スジが移動した２次転写ローラ５が回転している状態の説明図である。図１０（ｃ）は２次転写ローラ５から中間転写ベルト１０の表面に横黒スジが戻った状態の説明図である。
本制御例では、図１０（ａ）に示すように中間転写ベルト１０の表面の横黒スジ２０が２次転写部に到達したとき、その横黒スジ２０が図１０（ｂ）に示すように２次転写ローラ５側に移動してしまう場合がある。そこで、中間転写ベルト１０の表面の横黒スジ２０が２次転写部に到達した時点から２次転写ローラ５が１回転以上回転してから、図１０（ｃ）に示すように中間転写ベルト１０上の画像部Ｉの画像（トナー像）を転写紙２に転写するように制御する。これにより、中間転写ベルト１０から移動してしまった２次転写ローラ５上の横黒スジ２０を中間転写ベルト１０上に戻してから転写紙２を通過させることができるので、横黒スジによる転写紙２の裏汚れを防止することができる。
【００３１】
なお、上記実施形態では、像担持体としての中間転写ベルト１０から転写紙２にトナー像を転写する中間転写方式の画像形成装置の場合について説明したが、本発明は、像担持体としての感光体ドラムから転写紙２にトナー像を直接転写する画像形成装置の場合にも同様に適用することができる。
【００３２】
また、上記実施形態では、画像形成ジョブ（ＪＯＢ）の終了時に像担持体としての中間転写ベルト１０の逆回転を実行する場合について説明したが、本発明は、中間転写ベルト１０の逆回転を実行しない場合にも同様に適用することができる。この場合は、中間転写ベルト１０の画像形成時の回転動作が終了した後、その中間転写ベルト１０の回転が停止したときにクリーニングブレード１１１が当接していた中間転写ベルト１０の表面における被当接箇所が次回画像形成時に用いられない非画像形成領域に移動するまで中間転写ベルト１０を画像形成時と同じ正回転方向に回転させて停止させるように制御する。
【００３３】
また、上記実施形態では、中間転写ベルト１０の逆回転方向の回転動作や、その中間転写ベルト１０の回転が停止したときにクリーニングブレード１１１が当接していた中間転写ベルト１０の表面における被当接箇所を非画像形成領域に移動させる回転動作を、画像形成ジョブ（ＪＯＢ）の終了時に行う場合について説明したが、それらの回転動作を画像形成ジョブ（ＪＯＢ）における画像形成動作開始前に行ってもよい。例えば、画像形成ジョブ（ＪＯＢ）の指令を受けてから、その画像形成ジョブ（ＪＯＢ）の画像形成動作を開始するまでの間に、中間転写ベルト１０の逆回転方向の回転動作と、その中間転写ベルト１０の回転が停止したときにクリーニングブレード１１１が当接していた中間転写ベルト１０の表面における被当接箇所を非画像形成領域に移動させる回転動作とを実行するように制御してもよい。
【００３４】
以上に説明したものは一例であり、本発明は、次の態様毎に特有の効果を奏する。
（態様Ａ）
所定の回転方向に回転駆動された中間転写ベルト１０などの像担持体の表面に形成されたトナー像を転写紙２などの記録材に転写した後、像担持体にクリーニングブレード１１１を当接させて像担持体に残留したトナーを除去する画像形成装置であって、像担持体の画像形成時の回転動作が終了した後、像担持体の回転が停止したときにクリーニングブレード１１１が当接していた像担持体の表面における回転停止時の被当接箇所が次回画像形成時に用いられない非画像形成領域に移動するまで像担持体を回転させて停止させるように制御する手段を備える。
これによれば、上記実施形態について説明したように、上記像担持体の回転が停止したときにクリーニングブレード１１１が当接していた像担持体の表面における回転停止時の被当接箇所が次回画像形成時に用いられない非画像形成領域に移動するまで像担持体を回転させて停止させる。この像担持体の回転により、クリーニングブレード１１１に付着しているトナーが上記像担持体の表面における回転停止時の被当接箇所に移って付着したとしても、その像担持体に移って付着したトナーを、次回画像形成時に用いられない非画像形成領域に移動させることができる。従って、像担持体に移って付着したトナーが記録材に転写されることがなくなり、そのトナーによる記録材上の横黒スジの発生を防止することができる。以上のように、クリーニングブレード１１１の当接に起因する記録材上の横黒スジの発生を防止することができる。
（態様Ｂ）
上記態様Ａにおいて、中間転写ベルト１０などの像担持体の画像形成時の回転動作が終了した後、像担持体を画像形成時とは逆回転方向に回転させ、その後、像担持体の逆回転が停止したときにクリーニングブレード１１１が当接していた像担持体の表面における回転停止時の被当接箇所が次回画像形成時に用いられない非画像形成領域に移動するまで像担持体を画像形成時と同じ正回転方向に回転させて停止させるように制御する。これによれば、上記実施形態について説明したように、中間転写ベルト１０などの像担持体の画像形成時の回転動作が終了した後、その像担持体を画像形成時とは逆回転方向に回転させることにより、クリーニングブレード１１１のエッジに付着した付着物を除去できる。更に、上記像担持体の逆回転方向の回転動作の後、その逆回転の終了時にクリーニングブレード１１１が当接していた像担持体の表面における回転停止時の被当接箇所が次回画像形成時に用いられない非画像形成領域に移動するまで像担持体を正回転方向に回転させて停止させる。この像担持体の正回転方向の回転により、像担持体の逆回転方向の回転の停止時にクリーニングブレード１１１に付着しているトナーが像担持体の表面に移って付着したとしても、その像担持体に移って付着したトナーを、次回画像形成時に用いられない非画像形成領域に移動させることができる。従って、像担持体に移って付着したトナーが記録材に転写されることがなくなり、そのトナーによる横黒スジの発生を防止することができる。以上のように、本発明によれば、像担持体の表面をクリーニングするクリーニングブレード１１１のエッジに付着した付着物を除去できるとともに、そのクリーニングブレード１１１の当接に起因する横黒スジの発生を防止することができる。
（態様Ｃ）
上記態様Ａ又は態様Ｂにおいて、中間転写ベルト１０などの像担持体の表面における回転停止時の被当接箇所を前記非画像形成領域に移動させる像担持体の回転動作を、画像形成ジョブの終了動作時に行う。これによれば、上記実施形態について説明したように、次回の画像形成ジョブ（ＪＯＢ）におけるファーストプリントタイムを短くすることができる。
（態様Ｄ）
上記態様Ａ乃至態様Ｃのいずれかの態様において、中間転写ベルト１０などの像担持体の表面における回転停止時の被当接箇所を前記非画像形成領域に移動させる像担持体の回転動作を開始した後、その像担持体の表面における回転停止時の被当接箇所が非画像形成領域に最初に到達したときに、像担持体の回転動作を停止する。これによれば、上記実施形態について説明したように、中間転写ベルト１０などの像担持体の空転の量をなるべく少なくし、中間転写ベルト１０等の像担持体やクリーニングブレード１１１の不要な磨耗を少なくすることができる。
（態様Ｅ）
上記態様Ａ乃至態様Ｄのいずれかの態様において、中間転写ベルト１０などの像担持体の表面に対向するように配置され像担持体上のトナー像を転写紙２などの記録材に転写する２次転写ローラ５などの転写部材と、その転写部材にバイアスを印加するバイアス電源９３０などのバイアス印加手段と、像担持体と転写部材との間に記録材を挟持した状態で像担持体上のトナー像を記録材へ転写するときに転写部材に所定の転写バイアスを印加し、転写部材が像担持体の非画像形成領域に対向するときに転写部材に転写バイアスとは逆極性のバイアスを印加するように制御する制御装置９００などの制御手段と、を備える。これによれば、上記実施形態について説明したように、像担持体の非画像形成領域に横黒スジがあった場合でも、その横黒スジによって２次転写ローラ５などの転写部材が汚れないようにすることができ、転写紙２などの記録材の裏汚れを防ぐことができる。
（態様Ｆ）
上記態様Ａ乃至態様Ｄのいずれかの態様において、中間転写ベルト１０などの像担持体の表面に直接又は記録材を介して当接する当接位置と該像担持体の表面又は該記録材から離間した離間位置とを取り得るように構成された回転可能な２次転写ローラ５などの転写部材と、転写部材を前記当接位置と前記離間位置との間で移動させるための接離機構９４０などの駆動手段と、像担持体上のトナー像を記録材へ転写するときに転写部材を前記当接位置に移動させ、転写部材が像担持体の非画像形成領域に対向するときに転写部材を前記離間位置に移動させるように制御する制御装置９００などの制御手段と、を備える。これによれば、上記実施形態について説明したように、像担持体の非画像形成領域に横黒スジがあった場合でも、その横黒スジによって２次転写ローラ５などの転写部材が汚れないようにすることができ、転写紙２などの記録材の裏汚れを防ぐことができる。
（態様Ｇ）
上記態様Ａ乃至態様Ｄのいずれかの態様において、感光体ドラム７Ｂｋ、７Ｃ、７Ｍ、７Ｙなどの潜像担持体と、潜像担持体上に潜像を形成する帯電装置や光書込み装置などの潜像形成手段と、潜像担持体上の潜像を現像してトナー像を形成する各色トナーや現像装置などの現像手段と、潜像担持体上のトナー像が転写される像担持体としての中間転写ベルト１０などの中間転写体と、中間転写体を介して潜像担持体の表面に当接する当接位置と潜像担持体の表面から離間した離間位置とを取り得るように構成され潜像担持体上のトナー像を中間転写体に転写する１次転写ローラ８Ｂｋ、８Ｃ、８Ｍ、８Ｙなどの１次転写部材と、１次転写部材を前記当接位置と前記離間位置との間で移動させるための接離機構９６０などの１次転写部材駆動手段と、１次転写部材にバイアスを印加するバイアス電源９５０などの１次転写部材バイアス印加手段と、中間転写体の表面に直接又は記録材を介して当接する当接位置と中間転写体の表面又は該記録材から離間した離間位置とを取り得るように構成された回転駆動可能な２次転写ローラ５など２次転写部材と、２次転写部材を前記当接位置と前記離間位置との間で移動させるための接離機構９４０などの２次転写部材駆動手段と、２次転写部材にバイアスを印加するバイアス電源９３０などの２次転写部材バイアス印加手段と、中間転写体の画像形成時の回転動作が終了した後、中間転写体の回転が停止したときにクリーニングブレード１１１が当接していた中間転写体の表面における回転停止時の被当接箇所を前記非画像形成領域まで移動させるように中間転写体の回転動作を行っているときには、１次転写部材を前記当接位置に移動させ、１次転写部材に所定の転写バイアスを印加し、且つ、中間転写体の表面における回転停止時の被当接箇所が、２次転写部材と中間転写体とが互いに対向している２次転写部を通過しているときには、中間転写体上のトナーが２次転写部材側に移動しない極性のバイアスを２次転写部材に印加するように制御する手段とを備える。これによれば、上記実施形態について説明したように、中間転写体上の横黒スジのトナーを１次転写部で所定の極性に帯電させるとともに、２次転写部では、その帯電した横黒スジのトナーが静電的に２次転写部材側に移動しないようにすることにより、２次転写部材に横黒スジが移動することによる転写紙２などの記録材の裏汚れの発生をより確実に防止することができる。
（態様Ｈ）
上記態様Ａ乃至態様Ｄのいずれかの態様において、中間転写ベルト１０などの像担持体の表面に対向するように配置され像担持体上のトナー像を転写紙２などの記録材に転写する回転可能な２次転写ローラ５などの転写部材と、像担持体の表面における回転停止時の被当接箇所が、転写部材が対向している転写部を通過した後、転写部材が１回転以上回転してから、像担持体上のトナー像を記録材に転写するように制御する制御装置９００などの制御手段とを備える。これによれば、上記実施形態について説明したように、中間転写体から移動してしまった転写部材上の横黒スジを中間転写体上に戻してから記録材を通過させることができるので、横黒スジによる転写紙２の裏汚れを防止することができる。
（態様Ｉ）
上記態様Ａ乃至態様Ｄのいずれかの態様において、中間転写ベルト１０などの像担持体の表面に直接又は転写紙２などの記録材を介して当接する当接位置と像担持体の表面又は記録材から離間した離間位置とを取り得るように構成され像担持体上のトナー像を記録材に転写する２次転写ローラ５などの転写部材と、転写部材を前記当接位置と前記離間位置との間で移動させるための接離機構９４０などの駆動手段と、像担持体の表面における回転停止時の被当接箇所が、転写部材が対向している転写部を通過した後、転写部材を前記離間位置から前記当接位置に移動させるように制御する制御装置９００などの制御手段とを備える。これによれば、上記実施形態について説明したように、中間転写体から転写部材に横黒スジが移動することによる記録材の裏汚れの発生を防止することができる。
（態様Ｊ）
上記態様Ａ乃至態様Ｉのいずれかの態様において、クリーニングブレード１１１は、中間転写ベルト１０などの像担持体の表面に上方から当接するように配置されている。これによれば、上記実施形態について説明したように、画像形成装置の横方向サイズの小型化を図りつつ、クリーニングブレード１１１を像担持体の表面に上方から当接する配置で特に発生しやすい横黒スジの発生を防止できる。
（態様Ｋ）
上記態様Ａ乃至態様Ｊのいずれかの態様において、画像形成装置の使用環境を検知する検知手段と、その検知手段の検知結果に基づいて、中間転写ベルト１０などの像担持体の表面における回転停止時の被当接箇所を前記非画像形成領域に移動させる像担持体の回転動作を行うか否かを決定する制御装置９００などの制御手段と、を備える。これによれば、上記実施形態について説明したように、画像形成装置の使用環境の検知結果に基づいて上記横黒スジが発生する可能性が高い場合を判断し、そのような場合についてのみ上記像担持体に対するクリーニングブレード１１１の当接を伴う上記像担持体の回転動作を実行するので、中間転写ベルト１０などの像担持体やクリーニングブレード１１１の不要な磨耗を少なくすることができる。
（態様Ｌ）
上記態様Ｋにおいて、前記検知手段は、使用環境として温度及び湿度の少なくとも一方を検知するものである。これによれば、上記実施形態について説明したように、上記中間転写ベルト１０などの像担持体における横黒スジの発生に影響を与えやすい温度及び湿度の少なくとも一方を検知しているので、上記横黒スジが発生する可能性が高い場合をより正確に判断することができる。
（態様Ｍ）
上記態様Ａ乃至態様Ｌのいずれかの態様において、画像形成装置の画像形成モードに基づいて、中間転写ベルト１０などの像担持体の表面における回転停止時の被当接箇所を前記非画像形成領域に移動させる像担持体の回転動作を行うか否かを決定する手段を備える。これによれば、上記実施形態について説明したように、画像形成装置の画像形成モードに基づいて上記横黒スジが発生する可能性が高い場合を判断し、そのような場合についてのみ上記像担持体に対するクリーニングブレード１１１の当接を伴う上記像担持体の回転動作を実行するので、中間転写ベルト１０などの像担持体やクリーニングブレード１１１の不要な磨耗を少なくすることができる。
（態様Ｎ）
上記態様Ｍにおいて、画像形成対象の画像の画像面積率を算出し、その算出結果に基づいて前記画像形成モードが設定されている。これによれば、上記実施形態について説明したように、上記中間転写ベルト１０などの像担持体における横黒スジの発生に影響を与えやすい画像面積率の算出結果に基づいて前記画像形成モードが設定されているので、上記横黒スジが発生する可能性が高い場合をより正確に判断することができる。
（態様Ｏ）
上記態様Ａ乃至態様Ｎのいずれかの態様において、連続して画像形成が行われる転写紙２などの記録材の枚数に基づいて、中間転写ベルト１０などの像担持体の表面における回転停止時の被当接箇所を前記非画像形成領域に移動させる像担持体の回転動作を行うか否かを決定する手段を備える。これによれば、上記実施形態について説明したように、連続して画像形成される記録材の枚数に基づいて上記横黒スジが発生する可能性が高い場合を判断し、そのような場合についてのみ上記像担持体に対するクリーニングブレード１１１の当接を伴う上記像担持体の回転動作を実行するので、中間転写ベルト１０などの像担持体やクリーニングブレード１１１の不要な磨耗を少なくすることができる。
（態様Ｐ）
上記態様Ｏにおいて、前回の画像形成ジョブにおいて連続して画像形成が行われた転写紙２などの記録材の枚数を参照し、その枚数の参照結果に基づいて、中間転写ベルト１０などの像担持体の表面における回転停止時の被当接箇所を前記非画像形成領域に移動させる像担持体の回転動作を行うか否かを決定する。これによれば、上記実施形態について説明したように、上記中間転写ベルト１０などの像担持体における横黒スジの発生に影響を与えやすい前回の画像形成ジョブにおける連続して画像形成が行われた記録材の枚数を参照しているので、上記横黒スジが発生する可能性が高い場合をより正確に判断することができる。
【符号の説明】
【００３５】
２  転写紙
５  ２次転写ローラ
７Ｂｋ、７Ｃ、７Ｍ、７Ｙ  感光体ドラム
８Ｂｋ、８Ｃ、８Ｍ、８Ｙ  １次転写ローラ
１０  中間転写ベルト
１１  中間転写ベルトクリーニング装置
２０  横黒スジ
１００  中間転写ベルトユニット
１０１  支持ローラ（駆動ローラ）
１０２  支持ローラ（従動ローラ）
１１１  クリーニングブレード
１２０  駆動装置
９００  制御装置
９３０，９５０  バイアス電源
９４０，９６０  接離機構
【先行技術文献】
【特許文献】
【００３６】
【特許文献１】特開２００４−２６４５５３号公報
【図１】
0006032520.tif 000002
【図２】
0006032520.tif 000003
【図３】
0006032520.tif 000004
【図４】
0006032520.tif 000005
【図５】
0006032520.tif 000006
【図６】
0006032520.tif 000007
【図７】
0006032520.tif 000008
【図８】
0006032520.tif 000009
【図９】
0006032520.tif 000010
【図１０】
0006032520.tif 000011